(57)【要約】【課題】  書籍に挟み込んでシオリとしても機能することが出来るように、薄く折畳むことが出来る薄型メガネの提供。【解決手段】  レンズ６，６を備えたフロント部１の両外側にヨロイ５，５を取付け、該ヨロイ５，５の継手８，８に設けた水平な軸ネジ９，９を介して旋回可能にツル２，２を取付け、該ツル２，２はフロント部１と同一面に収まることが出来る。【選択図】    図１
0003210667.tif 000002
【実用新案登録請求の範囲】
【請求項１】
書籍に挟み込んでシオリとしても機能することが出来るように、薄く折畳むことが出来る薄型メガネにおいて、レンズを備えたフロント部の両外側にヨロイを取付け、該ヨロイの継手に設けた水平な軸ネジを介して旋回可能にツルを取付け、該ツルはフロント部と同一面に収まることを特徴とする薄型メガネ。
【請求項２】
書籍に挟み込んでシオリとしても機能することが出来るように、薄く折畳むことが出来る薄型メガネにおいて、正面に設けたワタリにフロント部を取付けて構成し、ワタリの両先端部にはツルの基部をロウ付けして取付けた構造とし、上記フロント部はワタリ中央部の支持部材の軸に回転可能としてツルと同一面になるように折畳むことを特徴とする薄型メガネ。
【請求項３】
上記ツルはワタリから連続して延ばした請求項２記載の薄型メガネ。
【考案の詳細な説明】
【技術分野】
【０００１】
本考案は顔から外して持ち歩く際に、書籍に挟み込んで書籍と共に持ち歩くことが出来る薄型メガネに関するものである。
【背景技術】
【０００２】
メガネには色々な形態があり、又多種多様なデザイン・装飾が施されている。そして機能面では長時間にわたって着用していても疲れを感じることがないように、チタンなどの材質が使用されて軽くなっている。また、フロント部にリムを備えることなく、両レンズを連結部材で直接ネジ止めし、レンズ外側にはヨロイをネジ止めした縁なしメガネも多用されている。
【０００３】
図６は一般的な金属製メガネを示しているが、該メガネはフロント部（イ）の両側にツル（ロ）、（ロ）が折畳み出来るように取付けている。フロント部（イ）は両リム（ハ）、（ハ）を連結部材（ニ）にて連結すると共に、両リム（ハ）、（ハ）の外側にはヨロイ（ホ）、（ホ）がロウ付けされて構成し、該ヨロイ（ホ）、（ホ）に上記ツル（ロ）、（ロ）が蝶番（ヘ）、（ヘ）を介して折畳み可能に取付けられている。そして、リム（ハ）、（ハ）にはレンズ（ト）、（ト）が嵌っている。
【０００４】
図７はメガネを外してツル（ロ）、（ロ）が折畳まれた場合であり、両ツル（ロ）、（ロ）は互いに重なり合っている。そして同図から明らかなように、ツル（ロ）、（ロ）はフロント部（イ）の裏側に折畳まれ、その為に厚さ寸法Ｈは比較的大きくなる。近眼用のメガネであるならば常に着用しているが、老眼鏡は仕事をする場合、新聞雑誌を読む場合などに一時的に着用する為に、一般にはメガネケースに入れて常時持ち歩いている。
【０００５】
したがって、携帯する老眼鏡は出来るだけコンパクトであることが必要である。フロント部の縦横寸法は顔に掛ける関係上小さくするには限度があるが、折畳んだ状態の厚さ寸法Ｈを小さくすることで、収容するメガネケースは薄くなる。しかし、従来のメガネでは、フロント部両側に概略Ｌ型をしたヨロイ（ホ）、（ホ）が設けられ、該ヨロイ（ホ）、（ホ）に取付けられたツル（ロ）、（ロ）が該フロント部の裏側に重なり合うように折畳まれる為に、厚さの縮小には限度がある。
【０００６】
実開平１−６４６１６号に係る「薄型メガネ」は、メガネフレームのフロント部上縁の左右端に垂直に枢支軸を設け、該枢支軸によってテンプル（ツル）を枢支している。したがって、このメガネはコンパクトに折畳むことが出来、場所を取らずに収納可能であり、持ち運びに便利で特に老眼鏡用として有効である。
【０００７】
実開平５−４５６３５号に係る「折りたたみ式眼鏡」は、折りたたんだ状態がカードのように薄くなり、ワイシャツや洋服などのポケットに入れても該ポケットが膨らまず、財布などの薄いスペースにも収納可能で携帯に便利なメガネである。
そこで、レンズが嵌め込まれた薄板状のフロントが中央のヒンジで連結されて折りたたみ可能であると共に、テンプルも前テンプルと後テンプルからなって折りたたみ可能であり、テンプルを折りたたむと後テンプルがフロントの上端縁に乗るようになる。
【０００８】
特開２００９−６９３５６号に係る「薄型メガネ」は、概略楕円形リムの中心から延びる水平基線に対して下方へ傾斜した傾斜線がリムと交わる位置にブローチを設け、該ブローチには継手を取付けると共に、該継手の軸は上記位置におけるリムの接線と平行とし、そして、継手に取付けたツルは折畳まれた状態でフロント部と同一面を成してリムに沿って立ち上がり、その後は真っ直ぐに延びて先端部は湾曲したモダンとし、又ツルを開いた状態では外側へ傾斜し、さらに、両リムを連結する連結部材は山形としてリムの下側に設けている。
【特許文献１】実開平１−６４６１６号に係る「薄型メガネ」
【特許文献２】実開平５−４５６３５号に係る「折りたたみ式眼鏡」
【特許文献３】特開２００９−６９３５６号に係る「薄型メガネ」
【考案の開示】
【考案が解決しようとする課題】
【０００９】
このように、老眼鏡をコンパクトに携帯することが出来るように構成した薄型メガネは色々存在している。本考案が解決しようとする課題は、ツルを折畳んだ際の厚みが薄くなって、本に挟み込んで持ち運び出来ると共に、掛け心地が良好な薄型メガネを提供する。
【課題を解決するための手段】
【００１０】
本考案に係る薄型メガネはフロント部の両側にツルを備え、顔に掛ける際の外観は従来の一般的なメガネと同じである。しかし、従来のメガネの場合、顔から外して携帯する際にはツルを折畳んでメガネケースに収容するが、本考案のメガネはメガネケースに入れることなく、書籍の間に挟み込んで持ち運ぶことが出来るように薄くすることが出来る。
【００１１】
メガネを折畳んで薄くなるように出来る機構は色々あるが、本考案ではツルを旋回してフロント部と同一面になるようにヨロイに継手を設けている。すなわち、従来のメガネではフロント部の背面側に重なるようにツルは旋回するが、該ツルは上方又は下方に旋回するように軸支されている。
また、フロント部両側に備えたツルには継手を設けることなく、ワタリに継手を設け、該継手を介してフロント部が回転し、ツルと同一面になるように旋回することが出来るように構成している。
【考案の効果】
【００１２】
本考案に係るメガネはツルを旋回してフロント部と同一面にすることが出来、その為に薄く成って書籍の間に挟み込むことが出来る。そこで、書籍と共に持ち歩くことが出来、薄く成って平たくした状態のメガネの面積は大きくて、書籍に挟み込んだ箇所は分かり易い。また、メガネを挟み込んで携帯しても、書籍が損傷することはない。
【００１３】
例えば、読み終えた箇所に該薄型メガネを外して挟み込み、再度読み始める際にはシオリとして挟んだ薄型メガネを取出して顔に掛けることが出来る。
また、フロント部を折畳んでツルと同一面になるように薄くすることが出来、この構造にした場合のツルは折畳む必要がなく継手は不要となり、弾性変形に優れた材質で掛け易いツルを構成出来る。
【図面の簡単な説明】
【００１４】
【図１】本考案に係る薄型メガネの実施例で、（ａ）は平面図、（ｂ）は正面図。
【図２】図１に示す薄型メガネのツルが旋回してフロント部と同一面に成った場合。
【図３】図１に示す薄型メガネのツルが旋回可能に軸支している継手の断面図。
【図４】本考案に係る薄型メガネの他の実施例で、（ａ）は平面図、（ｂ）は正面図。
【図５】図４に示す薄型メガネのフロント部が回転してツルと同一面に成った場合。
【図６】従来の一般的なメガネ。
【図７】従来メガネのツルが折畳まれた場合。
【考案を実施するための形態】
【００１５】
図１は本考案に係る薄型メガネを表している実施例であり、フロント部１の両側にはツル２，２が取付けられている。フロント部１は両ハーフリム３，３が山形に湾曲した連結部材４にて連結され、ハーフリム３，３の外側にはヨロイ５，５がロウ付けされている。そして、ハーフリム３，３にはレンズ６，６の上部側が嵌り、レンズ６，６の下側は該ハーフリム３，３の両先端に連結している高張力糸７，７にて支持されている。
【００１６】
ところで、上記ツル２，２はヨロイ５，５に設けている継手８，８を介して取付けられ、該継手８，８に設けている軸ネジ９，９を中心として旋回することが出来る。
上記ヨロイ５は背面側を開口したコ形を成し、このコ形ヨロイ５に回転体１０が嵌り、回転体１０は外方向から螺合している軸ネジ９を中心として回転出来るように軸支されている。そして、この回転体１０にはツル２の基部１１がロウ付けされることで、ツル２は回転体１０の回転と共に旋回することが出来る。
【００１７】
普通のメガネのフロント部は正面側へ膨らむように滑らかに湾曲しているが、本考案の薄型メガネにおける上記フロント部１は湾曲することなく平坦面を成し、中央部には鼻当てパット１２，１２が取付けられているが、該鼻当てパット１２，１２は表面側及び背面側に大きくはみ出すことがないように配置されている。
ところで、図１に示すフロント部１はハーフリム３にレンズ６の上半分を嵌めると共に下半分は高張力糸７にて保持した形態としているが、フルリムを用いてレンズを嵌める場合もあり、又はリムやハーフリムを用いることのない縁なしメガネとしてフロント部を構成することも出来る。
【００１８】
図２はツル２，２が旋回してフロント部１と同一面に収まっている状態を示している。該ツル２はヨロイ５に設けた継手８の軸ネジ９を中心として上方へ旋回し、ツル２はフロント部１と同一面になり、該フロント部１の厚み内に収まる。
図１に示す薄型メガネのツル２は、図２に示すように継手８の軸ネジ９を中心として上方へ旋回することが出来るように、該軸ネジ９は水平としていて、フロント部１の背面側にツル２を折畳むことは出来ない。
【００１９】
図３はツル２の継手８を示す断面拡大図を示している。ハーフリム３の外側にコ形をしたヨロイ５がロウ付けされ、このコ形ヨロイ５の空間には回転体１０が嵌合し、回転体１０の軸穴には軸ネジ９が挿通していることで、回転体１０は軸ネジ９を中心として回転することが出来る。Ｌ形に屈曲したツル２の基部は該回転体１０にロウ付けされ、回転体１０が回転することでツル２は旋回して上方へ持ち上げられる。
【００２０】
図４は本考案に係る薄型メガネを示す他の実施例である。同図の１３はワタリ、１４，１４はツル、１５はフロント部を表していて、ツル１４，１４はその基部がワタリ１３の先端部にロウ付けされると共に、湾曲して延びている。したがって、ツル１４には継手はなく、前記図１に実施例として示したメガネのツルのように旋回することは出来ない。その代り、フロント部１５が回転して折畳まれるように構成している。
【００２１】
該フロント部１５は、中央の連結部１６の両側に形成しているハーフリム１７，１７と高張力糸１８，１８にてレンズ１９，１９を保持している。そして、このフロント部１５はワタリ１３に取付けられ、連結部１６から延びている回転体２０はワタリ中央部の支持部材２１に取付けられて回転することが出来る。したがって、フロント部１５は回転体２０の回転に伴って旋回して折畳まれる。
【００２２】
図５はフロント部１５が折畳まれてツル１４，１４と同一面に収まっている状態を表している。ワタリ１３から延びる両ツル１４，１４は旋回することなくそのままであるが、フロント部１５が旋回して折畳まれることで、ツル１４，１４と同一面となって薄くなる。
ところで、図４に示すメガネのフロント部にしても、リング状のフルリムを用いて構成することも出来、又はリムを用いることなく縁なしメガネとして構成することも可能である。
【符号の説明】
【００２３】
１  フロント部
２  ツル
３  ハーフリム
４  連結部材
５  ヨロイ
６  レンズ
７  高張力糸
８  継手
９  軸ネジ
10  回転体
11  基部
12  鼻当てパット
13  ワタリ
14  ツル
15  フロント部
16  連結部
17  ハーフリム
18  高張力糸
19  レンズ
20  回転体
21  支持部材
【図１】
0003210667.tif 000003
【図２】
0003210667.tif 000004
【図３】
0003210667.tif 000005
【図４】
0003210667.tif 000006
【図５】
0003210667.tif 000007
【図６】
0003210667.tif 000008
【図７】
0003210667.tif 000009